(57)【要約】【課題】スライドバーに浴槽出入り時等に使用される握りバーの機能を持たせることができてその付加価値を高めると共に、その意匠的価値をも向上させ得る浴室シャワー用スライドバーを提供する。【解決手段】浴室シャワー用スライドバーに、上部側に直線状でシャワーフックがスライド移動可能なストレート部が設けられると共に、下部側にその下端が浴室壁面側に指向する如く屈曲された握りバー部が設けられることを特徴とする。そして、前記ストレート部の上端が所定長さの取付杆を介して浴室壁面に取り付けられ、前記握りバー部の下端が取付部材により浴室壁面に直接取り付けられる。【選択図】  図２
2004194858.tif 000002
【特許請求の範囲】
【請求項１】
洗い場側の浴室壁面に取り付けられ、シャワーが着脱可能に係止されるシャワーフックを上下方向にスライド移動させ得る浴室シャワー用スライドバーであって、
前記スライドバーは、上部側に直線状で前記シャワーフックがスライド移動可能なストレート部が設けられると共に、下部側にその下端が浴室壁面側に指向する如く屈曲された握りバー部が設けられていることを特徴とする浴室シャワー用スライドバー。
【請求項２】
前記ストレート部と握りバー部との連結部分が略曲線状に形成されていることを特徴とする請求項１に記載の浴室シャワー用スライドバー。
【請求項３】
前記ストレート部の上端が所定長さの取付杆を介して浴室壁面に取り付けられ、前記握りバー部の下端が取付部材により浴室壁面に直接取り付けられていることを特徴とする請求項１または２に記載の浴室シャワー用スライドバー。
【請求項４】
前記握りバー部は、ストレート部に対して正面視で左右方向のいずれか一方側にも屈曲されていることを特徴とする請求項１ないし３のいずれかに記載の浴室シャワー用スライドバー。
【請求項５】
前記浴室壁面は、表面側にミラーを備えて洗い場カウンター上の壁パネルに組み付けられたミラーパネルで形成され、該ミラーパネルの前方に張り出した浴槽寄りの端部に前記スライドバーが取り付けられていることを特徴とする請求項１ないし４のいずれかに記載の浴室シャワー用スライドバー。
【発明の詳細な説明】
【０００１】
【発明の属する技術分野】
本発明は、例えばシステムバスルーム等の浴室の洗い場側に設けられるシャワーを、上下方向にスライド移動させ得る浴室シャワー用スライドバーに関する。
【０００２】
【従来の技術】
従来、この種のスライドバーは、例えば特許文献１に示すように、ステンレスパイプ等により所定長さの直線状に形成されている。そして、浴室の洗い場側の浴室壁面に、その上下端部が同一長さの取付杆を介して取り付けられることにより、洗い場側の浴室壁面に上下方向に指向する状態で設置されている。
【０００３】
【特許文献１】
特開平５−１６３７５２号公報
【０００４】
【発明が解決しようとする課題】
しかしながら、この特許文献１に開示のスライドバーにあっては、直線状に形成されその上下端部が同一長さの取付杆を介して浴室壁面に取り付けられているため、シャワーが着脱可能に係止されるシャワーフック（シャワーハンガー）が単に上下方向にスライド移動するのみで、スライドバーにシャワーフックの移動機能しか持たせることができない。また、スライドバーが直線状の一本のパイプとして視認されるため、スライドバー自体の意匠が単調となり易く浴室のミラーが取り付けられる壁面の意匠的価値を高めることが難しい等の問題点を有している。
【０００５】
本発明は、このような事情に鑑みてなされたもので、その目的は、スライドバーに浴槽出入り時等に使用される握りバーの機能を持たせることができてその付加価値を高めると共に、その意匠的価値をも向上させ得る浴室シャワー用スライドバーを提供することにある。
【０００６】
【課題を解決するための手段】
かかる目的を達成するために、本発明のうち請求項１に記載の発明は、洗い場側の浴室壁面に取り付けられ、シャワーが着脱可能に係止されるシャワーフックを上下方向にスライド移動させ得る浴室シャワー用スライドバーであって、前記スライドバーは、上部側に直線状で前記シャワーフックがスライド移動可能なストレート部が設けられると共に、下部側にその下端が浴室壁面側に指向する如く屈曲された握りバー部が設けられていることを特徴とする。
【０００７】
このように構成することにより、シャワーが着脱可能に係止されるシャワーフックは、スライドバーの上部側に設けられたストレート部を上下方向にスライド移動させることで、シャワーが所定高さ位置に設定されて使用される。また、入浴者が浴槽へ出入り等する際には、下部側にスライドバーのストレート部の下部に握りバー部が設けられていることから、この握りバー部を入浴者が手で握りながら出入りできる。これにより、スライドバーにシャワーフックの移動機能の他に握りバーの機能も付加できると共に、握りバー部によりスライドバーの単調さが防止されてその意匠的価値の向上が図れる。
【０００８】
また、請求項２に記載の発明は、前記ストレート部の下部と握りバー部との連結部分が略曲線状に形成されていることを特徴とする。このように構成することにより、ストレート部の下部から握りバー部にかけて略曲線状に形成されることから、スライドバー自体を滑らかな略曲線状に形成できて、意匠的価値の一層の向上と安全性の向上が図れる。
【０００９】
また、請求項３に記載の発明は、前記ストレート部の上端が所定長さの取付杆を介して浴室壁面に取り付けられ、前記握りバー部の下端が取付部材により浴室壁面に直接取り付けられていることを特徴とする。このように構成することにより、ストレート部の上端を固定する取付杆の長さを所定に設定することで、浴室壁面からの寸法を所定高さに容易に設定でき、また握りバー部の下端が浴室壁面に取付部材によって直接取り付けられることから、スライドバーを浴室壁面に取り付ける所定長さの取付杆が一つで良く、取付構造の簡略化が図れると共にスライドバーの下端取付部分の意匠的価値の向上が図れる。
【００１０】
また、請求項４に記載の発明は、前記握りバー部が、ストレート部に対して正面視で左右方向のいずれか一方側にも屈曲されていることを特徴とする。このように構成することにより、握りバー部がストレート部に対して捻り状態で屈曲されることから、スライドバーを例えば浴室壁面の形態等に応じ所定方向に屈曲させた状態で容易に取り付けできる。
【００１１】
また、請求項５に記載の発明は、前記浴室壁面が、表面側にミラーを備えて洗い場カウンター上の壁パネルに組み付けられたミラーパネルで形成され、該ミラーパネルの前方に張り出した浴槽寄りの端部に前記スライドバーが取り付けられていることを特徴とする。このように構成することにより、握りバー部を有するスライドバーが、ミラーパネルの前方に張り出した浴槽寄りの端部の前面や側面に上下方向に沿って取り付けられることから、シャワーを洗い場に対して最適位置に設定しつつ、握りバー部を浴槽により近づけることができて、浴槽出入り時等の握りバー部の使い勝手の向上等が図れる。
【００１２】
【発明の実施の形態】
以下、本発明の実施の形態を図面に基づいて詳細に説明する。
図１〜図４は、本発明に係わるスライドバーの一実施形態を示し、図１が該スライドバーを使用した浴室内部を示す斜視図、図２がその要部の断面図、図３及び図４がスライドバーの正面図及び断面図である。
【００１３】
図１において、浴室１は、平面視略方形状の防水パンの周囲を取り囲むように組み付け配置された４枚の浴室壁面としての壁パネル２ａ〜２ｄ（壁パネル２ｄは図示せず）と、この壁パネル２ａ〜２ｄの上部に組み付け配置された例えばドーム形状の浴室天井としての天井パネル３とによって略箱状に形成されている。
そして、防水パン上の壁パネル２ａ側には、浴槽４が設置されると共に、この浴槽４の反壁パネル２ａ側の防水パン上には洗い場５が設けられている。
【００１４】
また、洗い場５の壁パネル２ｂ側にはカウンター６が配置され、このカウンター６の上方には、例えば楕円形状のミラー８、水栓本体９、吐水口を有する水栓操作部１０、ダウンライト等からなる浴室照明装置１１、ミラー裏照明装置１２、収納棚１３等が組み込まれたミラーパネル７が壁パネル２ｂに一体的に組み付けられている。
【００１５】
さらに、このミラーパネル７の正面視で左側に位置する浴槽寄りの端部７ａには、スライドバー１５が上下方向に沿って取り付けられており、このスライドバー１５には、シャワー１６が着脱可能に係止されるシャワーフック１７が上下方向にスライド移動可能に装着されている。なお、ミラーパネル７は平面視で略円弧形状に形成されることにより、その浴槽寄りの端部７ａが前方に所定寸法張り出している。
【００１６】
前記スライドバー１５は、図３及び図４に示すように、例えば円形のステンレスパイプ等からなる金属パイプ１５ａの外周面に樹脂層１５ｂがコーティングされると共に、上部側に所定長さＬ１の直線状のストレート部１８が設けられ、下部側に正面視で後方側に屈曲された握りバー部１９が設けられている。握りバー部１９は、図２に示すように、例えば全体として直線状のスライドバーの下部の所定位置を所定角度α後方側に屈曲させることで、ストレート部１８と握りバー部１９の連結部分が滑らかな曲線状になり、下端部に長さＬ２のストレート部１９ａを有する如く一体形成されている。なお、このストレート部１９ａは必ずしも必要ではなく、握りバー部１９全体を滑らかな曲線状に形成することも勿論可能である。
【００１７】
そして、このスライドバー１５は、その上部側であるストレート部１８の上端が、先端側にバー嵌合部２０ａを有し基端側に取付カバー２０ｂを有する取付杆２０を介して、ミラーパネル７の浴槽寄りの端部７ａの前面に取り付けられ、その下部側である握りバー部１９の下端が取付部材２１によってミラーパネル７の浴槽寄りの端部７ａの前面に直接取り付けられている。すなわち、取付杆２０のバー嵌合部２０ａにスライドバー１５のストレート部１９の上端が嵌合され、取付杆２０の取付カバー２０ｂのネジ部をミラーパネル７にボルト２２で固定された取付台座２０ｃのネジ部にねじ込むことによって、スライドバー１５の上端がミラーパネル７に取り付けられている。
【００１８】
また、スライドバー１５の握りバー部１９の下端をミラーパネル７にボルト２３で固定された取付部材２１の嵌合部２１ａに嵌合させることにより、スライドバー１５の下端がミラーパネル７に取り付けられている。これにより、スライドバー１５のストレート部１８がミラーパネル７の表面に対して所定の高さ寸法ｈでかつ所定強度を有して取り付けられ、この時、握りバー部１９が取付部材２１を介して直接ミラーパネル７に取り付けられる状態となり、握りバー部１９が従来の下方の取付杆の機能をも有することになる。なお、このスライドバー１５の上下端のミラーパネル７への取付構造は、以上の例に限定されず、例えば、握りバー部１９の下端を前記取付部材２１に代えて高さの低い取付杆２０を使用して取り付ける等、他の適宜の取付構造を採用できる。
【００１９】
また、スライドバー１５のストレート部１８には、操作部１７ａの回転操作により、シャワーフック１７が図２の矢印イの如く長手方向（上下方向）に沿ってスライド移動可能で、矢印ロの如く周方向に沿って回動可能に装着され、このシャワーフック１７に、シャワーホース２４の先端に連結されたシャワー１６が着脱可能に係止されている。また、シャワーホース２４は、その基端部が前記水栓本体９に接続され、該水栓本体９に設けられた切替操作部をシャワー側に切替えて吐水操作部を操作することにより、水栓本体９から湯水がシャワー１６に供給されて吐水されるようになっている。
【００２０】
このスライドバー１５によれば、入浴中にシャワー１６を使用する場合は、シャワーフック１７の操作部１７ａを矢印ハの如く回転操作して該フック１７を所定位置に固定して使用したり、シャワー１６をシャワーフック１７から取り外して手で持ちながら従来と同様にして使用する。この時、シャワー１６はスライドバー１５のストレート部１８の範囲内においてスライド移動可能であり、ストレート部１８の長さＬ１を所定に設定することで、シャワー１６の高さ位置を従来と同様の範囲内に設定して使用できることになる。
【００２１】
一方、入浴者が洗い場５から浴槽４に出入りする際や洗い場５で椅子等に座って体を洗った後に立ち上がったりする際には、スライドバー１５の下部側に設けられた握りバー部１９を手で握りながら浴槽４に出入りしたり、立ち上がったりする。浴槽４に出入りする際には、スライドバー１５がミラーパネル７の前方に張り出した浴槽寄りの端部７ａの表面に取り付けられていることから、スライドバー１５の握りバー部１９を浴槽４に近づけることができて、入浴者が握りバー部１９を確実にかつ容易に握りながら浴槽４に出入りできる。つまり、一本のスライドバー１５にシャワーフック１７のスライド移動機能の他に握りバーの機能をも持たせることができることになる。
【００２２】
このように、上記実施形態のスライドバー１５にあっては、下部側に下端がミラーパネル７方向に指向した握りバー部１９が一体的に設けられているため、この握りバー部１９を握りながら、入浴者が浴槽４に出入りしたりすることができて、スライドバー１５にシャワーフック１７の移動機能の他に握りバーの機能をも持たせることができ、スライドバー１５の付加価値を高めることが可能になる。特に、スライドバー１５の握りバー部１９が従来の別体に設けられる握りバーの機能を有することから、壁パネル２ｂに浴槽出入り用等の握りバーを別途設ける必要がなくなり、浴室１内に設置される握りバーの個数の低減化が図れると共に壁パネル２ｂ側の意匠的価値の向上を図ることができる。
【００２３】
また、スライドバー１５が従来のような単に真っ直ぐな棒状に形成されることなく、下部に曲線状に屈曲された握りバー部１９が設けられているため、スライドバー１５自体のデザイン性を高めることができ、このスライドバー１５が取り付けられるミラーパネル７の意匠的価値を高めることができる。特に、スライドバー１５のストレート部１８の下部と握りバー部１９との連結部分が曲線状に形成されているため、該連結部分を滑らかな曲線状のパイプとして形成できてデザイン性の一層の向上が図れると共に、曲線形状と樹脂層１５ｂによって手で握った際の安全性の向上等を図ることができる。
【００２４】
さらに、スライドバー１５の上端が所定長さの取付杆２０を介してミラーパネル７に取り付けられ、スライドバー１５の下端が取付部材２１で直接ミラーパネル７に取り付けられるため、握りバー部１９に従来の下方の取付杆の機能を持たせることができて、スライドバー１５の取付構造の簡略化が図れると共に、握りバー部１９の下端取付部のデザインをすっきりさせて、スライドバー１５が取り付けられるミラーパネル７の意匠的価値を一層高めることができる。
【００２５】
また、スライドバー１５が平面視で略円弧形状のミラーパネル７の前方に張り出した浴槽寄りの端部７ａの前面に取り付けられているため、スライドバー１５の握りバー部１９を浴槽４に近づけることができて、握りバー部１９の使い勝手の向上を図ることができる。また同時に、スライドバー１５がミラーパネル７の浴槽寄りの端部７ａに上下方向に沿って設けられているため、使用する際のシャワー１６を入浴者の好みに応じた最適位置に容易に設定することができて、使い勝手に優れたシャワー１６を得ることが可能になる。
【００２６】
またさらに、スライドバー１５がストレート部１８とミラーパネル７方向に指向した握りバー部１９で形成されているため、スライドバー１５の下部側のミラーパネル７表面からの出っ張りを少なくしつつ、入浴時に邪魔になり難い上部側のストレート部１８の出っ張り（寸法ｈ）を従来に比較して大きくすることもでき、シャワー１６の回動方向を含めた動作範囲の拡大化が図れて、使い勝手に一層優れたシャワー１６を得ることが可能になる。
【００２７】
また、スライドバー１５が、例えば直線状のスライドバーの下部側を所定角度屈曲させることで形成されるため、スライドバー１５自体の製造が容易に行え、そのコストダウンが図れると共に、前述したように下方の取付杆の省略でスライドバー１５取付時の部材数を削減したり取付構造自体を簡略化でき、結果として安価なスライドバー１５を得ることが可能になる。さらにまた、屈曲によってストレート部１８と握りバー部１９に形成される金属パイプ１５ａ自体の外方への突出（拡大）により、該部分がシャワーフック１７のストッパとして機能するため、シャワー１６をスライドバー１５のストレート部１８の範囲内において確実かつスムーズにスライド移動させることができて、シャワー移動時の操作性に優れたスライドバー１５が得ることが可能になる。
【００２８】
図５は、本発明に係わるスライドバーの他の実施形態を示す要部の斜視図である。以下、上記実施形態と同一部位には同一符号を付して説明する。この実施形態の特徴は、スライドバー１５をミラーパネル７の浴槽寄りの端部７ａの前面ではなく、側面７ｂに取り付けた点にある。すなわち、ミラーパネル７の浴槽寄りの端部７ａに形成される側面７ｂの上部に、取付杆２０を介してスライドバー１５のストレート部１８の上端を取り付け、側面７ｂの下部にスライドバー１５の握りバー部１９の下端を取付部材２１によって取り付ける。
【００２９】
この実施形態においても、側面７ｂから所定高さ寸法ｈ浮いた状態のストレート部１８をシャワーフック１７がスライド移動すると共に、握りバー部１９を入浴者の浴槽４への出入り時等に握りバーとして機能させることができて、上記実施形態と同様の作用効果を得ることができる。このように握りバー部１９を有するスライドバー１５は、ミラーパネル７を使用する場合、その浴槽寄りの端部７ａの適宜位置に取り付けできるし、ミラーパネル７を使用しない場合、壁パネル２ｂの適宜位置に取り付けることができる。
【００３０】
なお、上記各実施形態においては、スライドバー１５が正面視で後方側に所定角度α屈曲された例について説明したが、本発明はこれに限定されず、例えば図３の二点鎖線で示すように、正面視で左右のいずれかに所定角度屈曲させても良い。この場合は、握りバー部１９が後方でかつ左右に屈曲されることから、握りバー部１９がストレート部１８に対して略捻れた状態となり、例えばミラーパネル７の浴槽寄りの端部７ａの表面の曲面形状に容易に対応させて取り付けできることになる。
【００３１】
また、上記各実施形態において、スライドバー１５のストレート部１８と握りバー部１９を一体で形成したが、例えば別部材を連結部材で連結することにより、ストレート部１８と握りバー部１９を形成する構成とする等、握りバー部１９を有する適宜構成を採用することができる。さらに、上記各実施形態において、スライドバー１５自体を金属パイプ１５ａのみで形成することもできるし、取付杆２０や取付部材２１の構成等も一例であって、本発明に係わる各発明の要旨を逸脱しない範囲において適宜に変更することができる。
【００３２】
【発明の効果】
以上詳述したように、請求項１に記載の発明によれば、スライドバーがストレート部と下端が浴室壁面側に指向する如く屈曲された握りバー部で形成されているため、ストレート部にシャワーフックの移動機能を持たせ握りバー部に浴槽出入り時等に使用される握りバーの機能を持たせることができて、スライドバーの付加価値を高めることができると共に、握りバー部によりスライドバー自体のデザイン性の単調さが防止されて、その意匠的価値を向上させることができる。
【００３３】
また、請求項２に記載の発明によれば、請求項１に記載の発明の効果に加え、ストレート部の下部と握りバー部の連結部分が略曲線状に形成されているため、スライドバー自体を滑らかな曲線状に形成できて、その意匠的価値の一層の向上が図れると共に、使用時の安全性の向上を図ることができる。
【００３４】
また、請求項３に記載の発明によれば、請求項１または２に記載の発明の効果に加え、スライドバーが取付杆と取付部材により浴室壁面に取り付けられているため、取付杆の長さを所定に設定することで、スライドバーの浴室壁面からの寸法を所定高さに設定しつつ一つの取付杆で容易に取り付けできて、取付構造の簡略化が図れると共に、スライドバーの下端取付部分の取付状態をすっきりさせてスライドバーの意匠的価値の一層の向上を図ることができる。
【００３５】
また、請求項４に記載の発明によれば、請求項１ないし３に記載の発明の効果に加え、握りバー部がストレート部に対して略捻り状態で屈曲されるため、スライドバーを例えば浴室壁面の形態等に応じ所定方向に屈曲した状態で取り付けできて、各種形態の浴室壁面に容易に対応することができる。
【００３６】
また、請求項５に記載の発明によれば、請求項１ないし４に記載の発明の効果に加え、握りバー部を有するスライドバーが、ミラーパネルの前方に張り出した浴槽寄りの端部の前面や側面に上下方向に沿って取り付けられるため、シャワーを洗い場に対して最適位置に設定しつつ、握りバー部を浴槽により近づけることができて、浴槽出入り時の握りバー部の使い勝手の向上を図ることができる等の効果を奏する。
【図面の簡単な説明】
【図１】本発明に係わるスライドバーを使用した浴室内部を示す斜視図
【図２】同その要部の断面図
【図３】同スライドバーの正面図
【図４】同その断面図
【図５】本発明に係わるスライドバーを使用した他の浴室内部を示す要部斜視図
【符号の説明】
１・・・・・・・・・浴室
４・・・・・・・・・浴槽
６・・・・・・・・・カウンター
７・・・・・・・・・ミラーパネル
７ａ・・・・・・・・浴槽寄りの端部
７ｂ・・・・・・・・側面
８・・・・・・・・・ミラー
１５・・・・・・・・スライドバー
１５ａ・・・・・・・金属パイプ
１５ｂ・・・・・・・樹脂層
１６・・・・・・・・シャワー
１７・・・・・・・・シャワーフック
１７ａ・・・・・・・操作部
１８・・・・・・・・ストレート部
１９・・・・・・・・握りバー部
１９ａ・・・・・・・ストレート部
２０・・・・・・・・取付杆
２０ａ・・・・・・・バー嵌合部
２０ｂ・・・・・・・取付カバー
２０ｃ・・・・・・・取付台座
２１・・・・・・・・取付部材
２１ａ・・・・・・・嵌合部
２４・・・・・・・・シャワーホース
【図１】
2004194858.tif 000003
【図２】
2004194858.tif 000004
【図３】
2004194858.tif 000005
【図４】
2004194858.tif 000006
【図５】
2004194858.tif 000007